【手続補正書】
【提出日】平成18年12月12日(2006.12.12)
【手続補正１】
【補正対象書類名】明細書
【補正対象項目名】特許請求の範囲
【補正方法】変更
【補正の内容】
【特許請求の範囲】
【請求項１】
溶融金属を成形する金型において、
前記金型のキャビティ部の表面に、
金型母材と比べて熱伝導率の良い第1の層が形成されているとともに、
この第１の層と前記金型母材との間に、前記金型母材と比べて熱伝導率が悪い第２の層が形成されていることを特徴とする鋳造金型。
【請求項２】
前記第1の層は、１５０Ｗ／ｍ／℃以上の熱伝導率の材料からなることを特徴とする
請求項１に記載の鋳造金型。
【請求項３】
前記第２の層は、１５Ｗ／ｍ／℃以下の熱伝導率の材料からなることを特徴とする
請求項１または請求項２に記載の鋳造金型。
【請求項４】
前記第1の層を、溶解炉の先端に設けられた射出ノズルに接触される金型本体の射出ノズルタッチ部の位置まで形成したことを特徴とする請求項１〜３のいずれかに記載の鋳造金型。
【請求項５】
前記第1の層のごく近傍位置に、加熱装置を備えたことを特徴とする請求項１〜４のいずれかに記載の鋳造金型。
【請求項６】
前記第２の層は、チタン合金、ニッケル合金、メタルセラミックスの群から選ばれる材料で形成したことを特徴とする請求項１〜５のいずれかに記載の鋳造金型。
【請求項７】
前記第1の層は、グラファイト、窒化アルミニュウム、窒化硼素、炭化珪素、酸化ベリリュウムの高熱伝導セラミックスで形成したことを特徴とする請求項１〜６のいずれかに記載の鋳造金型。
【請求項８】
請求項１〜７のいずれかに記載の鋳造金型を用いて、
マグネシュウム合金、アルミニュウム合金、亜鉛合金等の低融点軽金属で成形品を製造することを特徴とする成形品の製造方法。
【請求項９】
請求項１〜７のいずれかに記載の鋳造金型を備えたチクソモールド成形機を用いて、
マグネシュウム合金、アルミニュウム合金のいずれかの群から選ばれる金属材料で成形品を製造することを特徴とする成形品の製造方法。
【手続補正２】
【補正対象書類名】明細書
【補正対象項目名】００１１
【補正方法】変更
【補正の内容】
【００１１】
【課題を解決するための手段】
上記の目的を達成するために、請求項１の本発明の鋳造金型は、溶融金属を成形する金型において、前記金型のキャビティ部の表面に、金型母材と比べて熱伝導率の良い第1の層が形成されているとともに、この第１の層と前記金型母材との間に、前記金型母材と比べて熱伝導率が悪い第２の層が形成されていることを特徴としている。
【手続補正３】
【補正対象書類名】明細書
【補正対象項目名】００１２
【補正方法】変更
【補正の内容】
【００１２】
このような構成では、キャビティに面する第１の層を、金型母材に比べて熱伝導率の良い材料からなる伝熱層にて形成して、この伝熱層の温度を上昇させることにより、金型母材自体ではなく、キャビティ側の金型温度を上昇させることで溶湯の凝固を遅延させることができ、また、第２の層が金型母材に比べて熱伝導率が悪いことによって溶湯から金型への熱伝達を抑制して、成形機や金型の初期コストと運転コストを抑え、大型でかつ薄肉の成形品であっても、温度低下による溶湯の粘度の上昇や早期の凝固が起こりにくく、流動性が良く転写性の良い高品質、高精度の成形品が得られる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
また、請求項２記載の本発明の鋳造金型は、第１の層が、１５０Ｗ／ｍ／℃以上の熱伝導率の材料からなることを特徴としている。
【手続補正７】
【補正対象書類名】明細書
【補正対象項目名】００１６
【補正方法】変更
【補正の内容】
【００１６】
このような構成では、上記請求項１の発明の作用である伝熱効果をより良好に達成することができる。
【手続補正８】
【補正対象書類名】明細書
【補正対象項目名】００１７
【補正方法】変更
【補正の内容】
【００１７】
また、請求項３記載の本発明の鋳造金型は、第２の層が、１５W／ｍ／℃以下の熱伝導率の材料からなることを特徴としている。
【手続補正９】
【補正対象書類名】明細書
【補正対象項目名】００１８
【補正方法】変更
【補正の内容】
【００１８】
このような構成では、上記請求項１の発明の作用である断熱効果をより良好に達成することができる。
【手続補正１０】
【補正対象書類名】明細書
【補正対象項目名】００１９
【補正方法】変更
【補正の内容】
【００１９】
また、請求項４記載の本発明の鋳造金型は、第１の層を、溶解炉の先端に設けられた射出ノズルに接触される金型本体の射出ノズルタッチ部の位置まで形成したことを特徴としている。
【手続補正１１】
【補正対象書類名】明細書
【補正対象項目名】００２０
【補正方法】変更
【補正の内容】
【００２０】
このような構成では、成形機内の溶解炉を加熱する熱を利用して、射出ノズルに接触される射出ノズルタッチ部から第１の層を加熱することができて、第１の層を加熱するための特別の加熱手段を設ける必要がない。
【手続補正１２】
【補正対象書類名】明細書
【補正対象項目名】００２１
【補正方法】変更
【補正の内容】
【００２１】
また、請求項５記載の本発明の鋳造金型は、第１の層のごく近傍位置に、加熱装置を備えたことを特徴としている。
【手続補正１３】
【補正対象書類名】明細書
【補正対象項目名】００２２
【補正方法】変更
【補正の内容】
【００２２】
このような構成では、加熱装置は、供給熱量や供給時間を自由に設定できるため、成形品の形状や欠陥の発生に応じた温度コントロールが可能であり、第１の層への加熱をより効率よく行うことができる。
【手続補正１４】
【補正対象書類名】明細書
【補正対象項目名】００２３
【補正方法】変更
【補正の内容】
【００２３】
また、請求項６記載の本発明の鋳造金型は、第２の層は、チタン合金、ニッケル合金、メタルセラミックスの群から選ばれる材料で形成したしたことを特徴としている。
【手続補正１５】
【補正対象書類名】明細書
【補正対象項目名】００２４
【補正方法】変更
【補正の内容】
【００２４】
このような構成では、第２の層を、チタン合金、ニッケル合金、メタルセラミックスの群から選ばれる材料で形成したことにより、より断熱効果を高めることができる。
【手続補正１６】
【補正対象書類名】明細書
【補正対象項目名】００２５
【補正方法】変更
【補正の内容】
【００２５】
また、請求項７記載の本発明の鋳造金型は、第１の層は、グラファイト、窒化アルミニュウム、窒化硼素、炭化珪素、酸化ベリリュウムの高熱伝導セラミックスで形成したことを特徴としている。
【手続補正１７】
【補正対象書類名】明細書
【補正対象項目名】００２６
【補正方法】変更
【補正の内容】
【００２６】
このような構成では、第１の層は、グラファイト、窒化アルミニュウム、窒化硼素、炭化珪素、酸化ベリリュウムの高熱伝導セラミックスで形成したことにより、より伝熱効果を高めることができる。
【手続補正１８】
【補正対象書類名】明細書
【補正対象項目名】００２７
【補正方法】変更
【補正の内容】
【００２７】
また、請求項８記載の本発明の成形品の製造方法は、上記請求項１〜７の発明のいずれかの鋳造金型において、マグネシュウム合金、アルミニュウム合金、亜鉛合金等の低融点軽金属で成形品を製造することを特徴としている。
【手続補正１９】
【補正対象書類名】明細書
【補正対象項目名】００２８
【補正方法】変更
【補正の内容】
【００２８】
このような方法では、上記請求項１〜７の発明と同様の作用を達成しながら、低融点軽金属の成形品を製造することができる。
【手続補正２０】
【補正対象書類名】明細書
【補正対象項目名】００２９
【補正方法】変更
【補正の内容】
【００２９】
また、請求項９記載の本発明の成形品の製造方法は、請求項１〜７の発明のいずれかの鋳造金型を備えたチクソモールド成形機を用いて、マグネシュウム合金、アルミニュウム合金のいずれかの群から選ばれる金属材料で成形品を製造することを特徴としている。
【手続補正２１】
【補正対象書類名】明細書
【補正対象項目名】００３０
【補正方法】変更
【補正の内容】
【００３０】
このような構成では、チクソモールド成形機を用いて、上記金属材料で成形品を製造するようにしているため、上記請求項１〜７の発明と同様の作用を有し、より精度よく加工性のよい成形品を製造することができる。
【手続補正２２】
【補正対象書類名】明細書
【補正対象項目名】００６３
【補正方法】変更
【補正の内容】
【００６３】
【発明の効果】
本発明によれば、前記金型のキャビティ部の表面に、金型母材と比べて熱伝導率の良い第1の層が形成されているとともに、この第１の層と前記金型母材との間に、前記金型母材と比べて熱伝導率が悪い第２の層が形成され、この第1の層の温度を上昇させることができるので、金型本体を形成する金型母材自体ではなく、この第1の層の温度を上昇させることで溶湯の凝固を遅延させることができ、溶湯から金型への熱伝達を抑制して、成形機や金型の初期コストと運転コストを抑え、大型でかつ薄肉の成形品であっても、温度低下による溶湯の粘度の上昇や早期の凝固が起こりにくく、流動性が長く転写性の良い高品質、高精度の成形品が得られる。